(57)【要約】【課題】入力された音声信号と帰還された音声信号とを発振することなく合成することができるパワードスピーカ装置及びパワードスピーカシステムを提供すること。【解決手段】音声に応じて生成された第１の入力音声信号が入力される第１の音声信号入力端子１０１と、所定の音声信号よりなる第２の入力音声信号が入力される第２の音声信号入力端子１０２と、前記第２の入力音声信号から前記第１の入力音声信号を差分する音声信号差分手段１０３と、差分された差分音声信号と前記第１の入力音声信号とを合成する音声信号合成手段１０４と、合成された合成音声信号を増幅する音声信号増幅手段１０５と、増幅された増幅音声信号に応じて音声を発するスピーカ１０６と、前記合成音声信号を出力する音声信号出力端子１０７とを備える。【選択図】　図１
2004088427.tif 000002
【特許請求の範囲】
【請求項１】
音声に応じて生成された第１の入力音声信号が入力される第１の音声信号入力端子と、所定の音声信号よりなる第２の入力音声信号が入力される第２の音声信号入力端子と、前記第２の入力音声信号から前記第１の入力音声信号を差分する音声信号差分手段と、前記音声信号差分手段によって差分された差分音声信号と前記第１の入力音声信号とを合成する音声信号合成手段と、前記音声信号合成手段によって合成された合成音声信号を増幅する音声信号増幅手段と、前記音声信号増幅手段によって増幅された増幅音声信号に応じて音声を発するスピーカと、前記合成音声信号を出力する音声信号出力端子とを備えたことを特徴とするパワードスピーカ装置。
【請求項２】
音声に応じて生成された第１の入力音声信号を無線で受信する音声信号受信手段と、所定の音声信号よりなる第２の入力音声信号が入力される第２の音声信号入力端子と、前記第２の入力音声信号から前記第１の入力音声信号を差分する音声信号差分手段と、前記音声信号差分手段によって差分された差分音声信号と前記第１の入力音声信号とを合成する音声信号合成手段と、前記音声信号合成手段によって合成された合成音声信号を増幅する音声信号増幅手段と、前記音声信号増幅手段によって増幅された増幅音声信号に応じて音声を発するスピーカと、前記合成音声信号を出力する音声信号出力端子とを備えたことを特徴とするパワードスピーカ装置。
【請求項３】
前記第２の音声信号入力端子及び前記音声信号出力端子を収容する結合機器を備えたことを特徴とする請求項１又は請求項２に記載のパワードスピーカ装置。
【請求項４】
音声に応じて生成された第１の入力音声信号が入力される第１の音声信号入力端子と、所定の音声信号よりなる第２の入力音声信号が入力される第２の音声信号入力端子と、前記第２の入力音声信号から前記第１の入力音声信号を差分する音声信号差分手段と、前記音声信号差分手段によって差分された差分音声信号と前記第１の入力音声信号とを合成する音声信号合成手段と、前記音声信号合成手段によって合成された合成音声信号を増幅する音声信号増幅手段と、前記音声信号増幅手段によって増幅された増幅音声信号に応じて音声を発するスピーカと、前記合成音声信号を出力する音声信号出力端子とを有した複数のパワードスピーカ装置を備え、前記複数のパワードスピーカ装置が環状に接続されるように、前記各パワードスピーカ装置の前記第２の音声信号入力端子は、隣接するパワードスピーカ装置の音声信号出力端子にそれぞれ接続されたことを特徴とするパワードスピーカシステム。
【発明の詳細な説明】
【０００１】
【発明の属する技術分野】
本発明は、業務放送や構内放送等に使用され、音声信号を増幅し、増幅された音声信号に応じて音声を発するパワードスピーカ装置及びパワードスピーカシステムに関するものである。
【０００２】
【従来の技術】
従来、音声信号を増幅し、増幅された音声信号に応じて音声を発する一般的なパワードスピーカシステムとしては、例えば、以下に示すものが知られている。
【０００３】
図５に示すパワードスピーカシステム５０００は、第１の入力音声信号と第２の入力音声信号とを合成する音声信号合成手段５０１と、合成された合成音声信号を増幅する音声信号増幅手段５０２と、増幅された増幅音声信号に応じて音声を発するスピーカ５０３とを有し、合成音声信号を外部に出力するパワードスピーカ装置５００及びパワードスピーカ装置５００と同様の構成のパワードスピーカ装置６００を備えている。
パワードスピーカシステム５０００は、パワードスピーカ装置５００、６００に、それぞれ図示しないマイクロホンなどの音声入力機器による第１の入力音声信号を入力させ、パワードスピーカ装置５００によって出力された合成音声信号をパワードスピーカ装置６００の第２の入力音声信号として入力させ、パワードスピーカ装置６００によって出力された合成音声信号をパワードスピーカ装置５００の第２の入力音声信号として入力させることで環状に接続されている。
【０００４】
前述のように構成された、パワードスピーカシステム５０００は、パワードスピーカ装置５００、６００に入力された音声信号をそれぞれ合成し、合成された合成音声信号に応じて音声を発することができる。
【０００５】
【発明が解決しようとする課題】
しかしながら、このような従来のパワードスピーカシステム５０００では、パワードスピーカ装置５００において、第１の入力音声信号が、第２の入力音声信号と合成され、パワードスピーカ装置６００を介してパワードスピーカ装置５００に帰還されるため、入力音声信号と帰還された音声信号とが発振して合成されるという問題があった。
【０００６】
本発明は、このような問題を解決するためになされたもので、入力された音声信号と帰還された音声信号とを発振することなく合成することができるパワードスピーカ装置及びパワードスピーカシステムを提供するものである。
【０００７】
【課題を解決するための手段】
本発明のパワードスピーカ装置は、音声に応じて生成された第１の入力音声信号が入力される第１の音声信号入力端子と、所定の音声信号よりなる第２の入力音声信号が入力される第２の音声信号入力端子と、前記第２の入力音声信号から前記第１の入力音声信号を差分する音声信号差分手段と、前記音声信号差分手段によって差分された差分音声信号と前記第１の入力音声信号とを合成する音声信号合成手段と、前記音声信号合成手段によって合成された合成音声信号を増幅する音声信号増幅手段と、前記音声信号増幅手段によって増幅された増幅音声信号に応じて音声を発するスピーカと、前記合成音声信号を出力する音声信号出力端子とを備えた構成を有している。この構成により、入力された音声信号を帰還された音声信号から差分し、入力された音声信号と差分された差分音声信号とを合成するため、複数のパワードスピーカ装置を環状に接続した場合に、入力された音声信号と帰還された音声信号とを発振することなく合成することができる。
【０００８】
また、本発明のパワードスピーカ装置は、音声に応じて生成された第１の入力音声信号を無線で受信する音声信号受信手段と、所定の音声信号よりなる第２の入力音声信号が入力される第２の音声信号入力端子と、前記第２の入力音声信号から前記第１の入力音声信号を差分する音声信号差分手段と、前記音声信号差分手段によって差分された差分音声信号と前記第１の入力音声信号とを合成する音声信号合成手段と、前記音声信号合成手段によって合成された合成音声信号を増幅する音声信号増幅手段と、前記音声信号増幅手段によって増幅された増幅音声信号に応じて音声を発するスピーカと、前記合成音声信号を出力する音声信号出力端子とを備えた構成を有している。この構成により、音声に応じて生成された入力音声信号を無線で受信できるため、マイクロホン等の音声信号入力機器が接続できない場所にもパワードスピーカ装置を設置することができる。
【０００９】
また、本発明のパワードスピーカ装置は、音声に応じて生成された第１の入力音声信号が入力される第１の音声信号入力端子と、所定の音声信号よりなる第２の入力音声信号が入力される第２の音声信号入力端子と、前記第２の入力音声信号から前記第１の入力音声信号を差分する音声信号差分手段と、前記音声信号差分手段によって差分された差分音声信号と前記第１の入力音声信号とを合成する音声信号合成手段と、前記音声信号合成手段によって合成された合成音声信号を増幅する音声信号増幅手段と、前記音声信号増幅手段によって増幅された増幅音声信号に応じて音声を発するスピーカと、前記合成音声信号を出力する音声信号出力端子と、前記第２の音声信号入力端子及び前記音声信号出力端子を収容する結合機器とを備えた構成を有している。この構成により、２台のパワードスピーカ装置を接続した場合に、１本のケーブルによって接続可能となり、パワードスピーカシステムの設置が容易になる。
【００１０】
また、本発明のパワードスピーカシステムは、音声に応じて生成された第１の入力音声信号が入力される第１の音声信号入力端子と、所定の音声信号よりなる第２の入力音声信号が入力される第２の音声信号入力端子と、前記第２の入力音声信号から前記第１の入力音声信号を差分する音声信号差分手段と、前記音声信号差分手段によって差分された差分音声信号と前記第１の入力音声信号とを合成する音声信号合成手段と、前記音声信号合成手段によって合成された合成音声信号を増幅する音声信号増幅手段と、前記音声信号増幅手段によって増幅された増幅音声信号に応じて音声を発するスピーカと、前記合成音声信号を出力する音声信号出力端子とを有した複数のパワードスピーカ装置を備え、前記複数のパワードスピーカ装置が環状に接続されるように、前記各パワードスピーカ装置の前記第２の音声信号入力端子は、隣接するパワードスピーカ装置の音声信号出力端子にそれぞれ接続された構成を有している。この構成により、各パワードスピーカ装置に入力された音声信号を帰還された音声信号から差分し、入力された音声信号と差分された差分音声信号とを合成するため、入力された音声信号と帰還された音声信号とを発振することなく合成することができる。
【００１１】
【発明の実施の形態】
以下、本発明の実施の形態について、図面を用いて説明する。
（第１の実施の形態）
図１に示すように、本発明の第１の実施の形態のパワードスピーカ装置１００は、音声に応じて生成された第１の入力音声信号が入力される第１の音声信号入力端子１０１と、所定の音声信号よりなる第２の入力音声信号が入力される第２の音声信号入力端子１０２と、前記第２の入力音声信号から前記第１の入力音声信号を差分する音声信号差分手段１０３と、差分された差分音声信号と前記第１の入力音声信号とを合成する音声信号合成手段１０４と、合成された合成音声信号を増幅する音声信号増幅手段１０５と、増幅された増幅音声信号に応じて音声を発するスピーカ１０６と、前記合成音声信号を出力する音声信号出力端子１０７とを備えている。
【００１２】
音声信号差分手段１０３には、第１の音声信号入力端子１０１に入力された第１の入力音声信号と、第２の音声信号入力端子１０２に入力された第２の入力音声信号とが入力され、音声信号差分手段１０３は、入力された第２の入力音声信号から入力された第１の入力音声信号を差分し、差分された差分音声信号を音声信号合成手段１０４に出力するようになっている。
【００１３】
音声信号合成手段１０４には、第１の音声信号入力端子１０１に入力された第１の入力音声信号と、音声信号差分手段１０３によって出力された差分音声信号とが入力され、音声信号合成手段１０４は、入力された第１の入力音声信号と入力された差分音声信号とを合成し、合成された合成音声信号を音声信号増幅手段１０５及び音声信号出力端子１０７に出力するようになっている。
【００１４】
音声信号増幅手段１０５には、音声信号合成手段１０４によって出力された合成音声信号が入力され、音声信号増幅手段１０５は、入力された合成音声信号を増幅し、増幅された増幅音声信号をスピーカ１０６に出力するようになっている。
【００１５】
スピーカ１０６には、音声信号増幅手段１０５によって出力された増幅音声信号が入力され、スピーカ１０６は、入力された増幅音声信号に応じて音声を発するようになっている。
【００１６】
以下、パワードスピーカ装置１００の動作を説明する。
まず、第１の音声信号入力端子１０１より入力された第１の入力音声信号は、第２の音声信号入力端子１０２より入力された第２の入力音声信号から音声信号差分手段１０３によって差分され、差分された差分音声信号は、第１の入力音声信号と音声信号合成手段１０４によって合成される。
【００１７】
次に、音声信号合成手段１０４によって合成された合成音声信号は、音声信号出力端子１０７から出力されると共に、音声信号増幅手段１０５によって増幅され、増幅された増幅音声信号に応じてスピーカ１０６によって音声が発せられる。
【００１８】
図２は、複数のパワードスピーカ装置を用いたパワードスピーカシステム２０００のブロック構成を示す図である。
図２に示すパワードスピーカシステム２０００は、前述したパワードスピーカ装置１００と、パワードスピーカ装置１００と同様な構成からなるパワードスピーカ装置２００とを備えている。
【００１９】
ここで、パワードスピーカシステム２０００は、複数のパワードスピーカ装置によって構成することができるが、説明のためパワードスピーカ装置を２台としている。
【００２０】
なお、パワードスピーカ装置２００は、前述の通りパワードスピーカ装置１００と同様な構成からなるため説明は省略する。
パワードスピーカ装置２００の第１の音声信号入力端子２０１、第２の音声信号入力端子２０２及び音声信号出力端子２０７は、パワードスピーカ装置１００の第１の音声信号入力端子１０１、第２の音声信号入力端子１０２及び音声信号出力端子１０７とそれぞれ同様に構成されている。
【００２１】
パワードスピーカ装置１００の第１の音声信号入力端子１０１には、図示しないマイクロホン等の音声信号入力機器が接続される。
パワードスピーカ装置１００の第２の音声信号入力端子１０２には、パワードスピーカ装置２００の音声信号出力端子２０７が接続される。
【００２２】
パワードスピーカ装置２００の第１の音声信号入力端子２０１には、図示しないマイクロホン等の音声信号入力機器が接続される。
パワードスピーカ装置２００の第２の音声信号入力端子２０２には、パワードスピーカ装置１００の音声信号出力端子１０７が接続される。
【００２３】
このように環状に接続されたパワードスピーカ装置１００及びパワードスピーカ装置２００は、図示しないマイクロホン等の音声信号入力機器によってそれぞれ入力された音声信号を合成し、合成された音声信号に応じて音声を発するようになっている。
【００２４】
なお、前述のように２つのパワードスピーカによって構成されたパワードスピーカシステム２０００におけるパワードスピーカ装置１００は、第２の音声信号入力端子１０２と音声信号出力端子１０７を、１つの結合機器内に収容するようにしてもよい。
【００２５】
このようにした場合には、パワードスピーカ装置１００と、パワードスピーカ装置１００と同様に構成されたパワードスピーカ装置２００とは、１本のケーブルによって接続可能となり、パワードスピーカシステム２０００の設置が容易になる。
【００２６】
以下、パワードスピーカシステム２０００におけるパワードスピーカ装置１００の動作を説明する。
まず、第１の音声信号入力端子１０１より入力された第１の入力音声信号は、第２の音声信号入力端子１０２より入力された第２の入力音声信号、すなわちパワードスピーカ装置２００の音声出力端子２０７から出力された出力音声信号から音声信号差分手段１０３によって差分され、差分された差分音声信号は、第１の入力音声信号と音声信号合成手段１０４によって合成される。
【００２７】
次に、音声信号合成手段１０４によって合成された合成音声信号は、音声信号出力端子１０７から出力されると共に、音声信号増幅手段１０５によって増幅され、増幅された増幅音声信号に応じてスピーカ１０６によって音声が発せられる。
【００２８】
パワードスピーカ装置２００の音声出力端子２０７から出力された出力音声信号は、第１の音声信号入力端子１０１より入力された第１の入力音声信号が既に合成されているため、第１の音声信号入力端子１０１より入力された第１の入力音声信号と音声信号合成手段１０４によってさらに合成された場合には、第１の入力音声信号が帰還されることとなり、第１の入力音声信号が正帰還された場合には、発振して合成されてしまう可能性がある。
【００２９】
このため、音声信号差分手段１０３を設けることにより、第１の音声信号入力端子１０１より入力された第１の入力音声信号は、第２の音声信号入力端子１０２より入力された第２の入力音声信号から差分され、前述した発振が抑止される。
【００３０】
なお、第２の音声信号入力端子１０２より入力された第２の入力音声信号に含まれる第１の入力音声信号は、第１の音声信号入力端子１０１より入力された第１の入力音声信号に対して、時間的な遅延が実際にはあるため、出力音声信号に雑音成分が発生する場合がある。この場合には、音声信号差分手段１０３において第１の音声信号入力端子１０１の入力側に遅延器及び遅延器に係数を設定する手段を設けてもよい。
【００３１】
以上説明したように、本発明の第１の実施の形態のパワードスピーカ装置及びパワードスピーカシステムは、入力された音声信号を帰還された音声信号から差分し、入力された音声信号と差分された差分音声信号とを合成するため、複数のパワードスピーカ装置を環状に接続した場合に、入力された音声信号と帰還された音声信号とを発振することなく合成することができる。
【００３２】
（第２の実施の形態）
図３は、本発明の第２の実施の形態のパワードスピーカ装置３００のブロック構成を示す図である。
図３に示すパワードスピーカ装置３００は、音声に応じて生成された第１の入力音声信号を無線で受信する音声信号受信手段３０１と、所定の音声信号よりなる第２の入力音声信号が入力される第２の音声信号入力端子１０２と、前記第２の入力音声信号から前記第１の入力音声信号を差分する音声信号差分手段１０３と、差分された差分音声信号と前記第１の入力音声信号とを合成する音声信号合成手段１０４と、合成された合成音声信号を増幅する音声信号増幅手段１０５と、増幅された増幅音声信号に応じて音声を発するスピーカ１０６と、前記合成音声信号を出力する音声信号出力端子１０７とを備えている。
【００３３】
ここで、本発明の第２の実施の形態のパワードスピーカ装置３００の構成手段のうち、前述した本発明の第１の実施の形態のパワードスピーカ装置１００と同様の処理を行うものについては同一の符号を付し、その説明を省略する。
【００３４】
音声信号受信手段３０１は、音声に応じて生成された第１の入力音声信号を無線で受信し、受信された第１の入力音声信号を音声信号差分手段１０３及び音声信号合成手段１０４に出力するようになっている。
【００３５】
以下、パワードスピーカ装置３００の動作を説明する。
まず、音声に応じて生成された第１の入力音声信号は、音声信号受信手段３０１によって無線で受信され、受信された第１の入力音声信号は、第２の音声信号入力端子１０２より入力された第２の入力音声信号から音声信号差分手段１０３によって差分され、差分された差分音声信号は、第１の入力音声信号と音声信号合成手段１０４によって合成される。
【００３６】
次に、音声信号合成手段１０４によって合成された合成音声信号は、音声信号出力端子１０７から出力されると共に、音声信号増幅手段１０５によって増幅され、増幅された増幅音声信号に応じてスピーカ１０６によって音声が発せられる。
【００３７】
図４は、複数のパワードスピーカ装置を用いたパワードスピーカシステム４０００のブロック構成を示す図である。
図４に示すパワードスピーカシステム４０００は、前述したパワードスピーカ装置３００と、パワードスピーカ装置３００と同様な構成からなるパワードスピーカ装置４００とを備えている。
【００３８】
ここで、パワードスピーカシステム４０００は、複数のパワードスピーカ装置によって構成することができるが、説明のためパワードスピーカ装置を２台としている。
【００３９】
なお、パワードスピーカ装置４００は、前述の通りパワードスピーカ装置３００と同様な構成からなるため説明は省略する。
パワードスピーカ装置４００の第２の音声信号入力端子４０２及び音声信号出力端子４０７は、パワードスピーカ装置３００の第２の音声信号入力端子１０２及び音声信号出力端子１０７とそれぞれ同様に構成されている。
【００４０】
パワードスピーカ装置３００の第２の音声信号入力端子１０２には、パワードスピーカ装置４００の音声信号出力端子４０７が接続される。
パワードスピーカ装置４００の第２の音声信号入力端子４０２には、パワードスピーカ装置３００の音声信号出力端子１０７が接続される。
【００４１】
このように環状に接続されたパワードスピーカ装置３００及びパワードスピーカ装置４００は、図示しないワイヤレスマイク等の音声信号入力機器によって送信された音声信号をそれぞれ受信し、受信された音声信号を合成し、合成された音声信号に応じて音声を発するようになっている。
【００４２】
以下、パワードスピーカシステム４０００におけるパワードスピーカ装置３００の動作を説明する。
まず、音声に応じて生成され、無線で受信された第１の入力音声信号は、第２の音声信号入力端子１０２より入力された第２の入力音声信号、すなわちパワードスピーカ装置４００の音声出力端子４０７から出力された出力音声信号から音声信号差分手段１０３によって差分され、差分された差分音声信号は、第１の入力音声信号と音声信号合成手段１０４によって合成される。
【００４３】
次に、音声信号合成手段１０４によって合成された合成音声信号は、音声信号出力端子１０７から出力されると共に、音声信号増幅手段１０５によって増幅され、増幅された増幅音声信号に応じてスピーカ１０６によって音声が発される。
【００４４】
このようにパワードスピーカ装置３００は、入力された音声信号を帰還された音声信号から差分し、入力された音声信号と差分された差分音声信号とを合成するため、複数のパワードスピーカ装置を環状に接続した場合に、入力された音声信号と帰還された音声信号とを発振することなく合成することができる。
【００４５】
以上説明したように、本発明の第２の実施の形態のパワードスピーカ装置及びパワードスピーカシステムは、音声に応じて生成された入力音声信号を無線で受信できるため、マイクロホン等の音声信号入力機器が接続できない場所にも設置することができる。
【００４６】
【発明の効果】
以上説明したように、本発明は、入力された音声信号と帰還された音声信号とを発振することなく合成することができるパワードスピーカ装置及びパワードスピーカシステムを提供することができるものである。
【図面の簡単な説明】
【図１】本発明の第１の実施の形態であるパワードスピーカ装置のブロック構成を示す図
【図２】本発明の第１の実施の形態であるパワードスピーカシステムのブロック構成を示す図
【図３】本発明の第２の実施の形態であるパワードスピーカ装置のブロック構成を示す図
【図４】本発明の第２の実施の形態であるパワードスピーカシステムのブロック構成を示す図
【図５】従来のパワードスピーカシステムのブロック構成を示す図
【符号の説明】
１００、２００、３００、４００、５００、６００　パワードスピーカ装置
１０１、２０１　第１の音声信号入力端子
１０２、２０２、４０２　第２の音声信号入力信号
１０３　音声信号差分手段
１０４、５０１　音声信号合成手段
１０５、５０２　音声信号増幅手段
１０６、５０３　スピーカ
１０７、２０７、４０７　音声信号出力端子
２０００、４０００、５０００　パワードスピーカシステム
３０１　音声信号受信手段
【図１】
2004088427.tif 000003
【図２】
2004088427.tif 000004
【図３】
2004088427.tif 000005
【図４】
2004088427.tif 000006
【図５】
2004088427.tif 000007